【手続補正書】
【提出日】平成19年3月19日(2007.3.19)
【手続補正１】
【補正対象書類名】明細書
【補正対象項目名】発明の名称
【補正方法】変更
【補正の内容】
【発明の名称】通信システム、通信装置および記録媒体
【手続補正２】
【補正対象書類名】明細書
【補正対象項目名】特許請求の範囲
【補正方法】変更
【補正の内容】
【特許請求の範囲】
【請求項１】
レンタル要求情報を生成する生成手段と、
上記生成手段により生成された上記レンタル要求情報を送信する送信手段と、
を有する第１の通信装置と、
上記送信手段により送信された上記レンタル要求情報を受信する受信手段と、
上記受信手段により受信された上記レンタル要求情報に応じて、レンタルされる予めデータが記録された記憶媒体を送付先に送る貸出日／返却予定日を記録する記録手段と、
を有する第２の通信装置と、
を備えることを特徴とする通信システム。
【請求項２】
請求項１において、
上記生成手段は、ユーザ操作に応じて選択されたコンテンツデータＩＤを有する上記レンタル要求情報を生成し、
上記第２の通信装置は、更に、上記受信手段により受信された上記レンタル要求情報内の上記コンテンツデータＩＤに応じたコンテンツデータを上記記憶媒体に書き込む書き込み手段を備える
ことを特徴とする通信システム。
【請求項３】
請求項１において、
上記生成手段は、ユーザ操作に応じて選択された記憶媒体ＩＤを有する上記レンタル要求情報を生成し、
上記第２の通信装置は、更に、上記受信手段により受信された上記レンタル要求情報内の上記記憶媒体ＩＤに応じた上記記憶媒体を選択する選択手段を備え、
上記記録手段は、上記選択手段により選択された上記記憶媒体を送付先に送付する貸出日／返却予定日を記録する
ことを特徴とする通信システム。
【請求項４】
請求項１において、
上記第２の通信装置は、
上記レンタル要求情報に基づき上記記憶媒体を収納するパッケージに上記送付先を示すアドレスを印刷する印刷手段を備える
ことを特徴とする通信システム。
【請求項５】
請求項４において、
上記パッケージは、上記送付先のアドレスを記録するための余白を有する第１の面と、
上記記憶媒体を挿入可能な収納部と、
返信先の住所を記録するための余白を有する第２の面と、
を備える往復封筒であり、
上記印刷手段は、
上記パッケージの上記第１の面に上記送付先を示すアドレスを印刷し、上記第２の面に上記返信先のアドレスを印刷する
ことを特徴とする通信システム。
【請求項６】
請求項１において、
上記第２の通信装置は、上記レンタル要求情報に応じたレンタル料金をユーザの口座から引き落とすための決済情報を生成し、外部の決済センタに送信する決済手段を備える
ことを特徴とする通信システム。
【請求項７】
請求項６において、
上記決済手段は、
上記レンタル要求情報に応じた上記記憶媒体のレンタルに対応するデポジット料金を記憶する
ことを特徴とする通信システム。
【請求項８】
請求項７において、更に、
上記送付先から上記記憶媒体が返却された返却日と、上記記録手段により記録された上記貸出日／返却予定日とを比較する比較手段を備え、
上記決済手段は、
上記比較手段が上記記憶媒体がレンタル期間内に返却されたと判別したとき、上記デポジット料金をユーザに返却するための決済情報を生成し、上記決済センタに送信する
ことを特徴とする通信システム。
【請求項９】
請求項８において、
上記決済手段は、
上記比較手段が上記記憶媒体がレンタル期間内に返却されなかったと判別したとき、上記デポジット料金をレンタルサービス提供者に分配するための決済情報を生成し、上記決済センタに送信する
ことを特徴とする通信システム。
【請求項１０】
請求項１において、
上記記録手段は、
上記貸出日／返却予定日をレンタルされる上記記憶媒体に記録する
ことを特徴とする通信システム。
【請求項１１】
請求項４において、
上記印刷手段は、
上記貸出日／返却予定日を上記パッケージの一部にバーコードで印刷する
ことを特徴とする通信システム。
【請求項１２】
外部装置から送信されたレンタル要求情報を受信する受信手段と、
上記受信手段により受信された上記レンタル要求情報内のコンテンツデータＩＤに応じてコンテンツデータを検索する検索手段と、
上記検索手段により検索された上記コンテンツデータを上記コンテンツデータＩＤとともに上記レンタル要求情報内の記録媒体ＩＤに対応する記憶媒体に書き込む書き込み手段と、
レンタルされる上記記憶媒体を送付先に送る貸出日／返却予定日を記録する記録手段と
を備えることを特徴とする通信装置。
【請求項１３】
請求項１２において、
上記レンタル要求情報に基づき上記記憶媒体を収納するパッケージに上記送付先を示すアドレスを印刷する印刷手段
を備えることを特徴とする通信装置。
【請求項１４】
請求項１３において、
上記パッケージは、上記送付先のアドレスを記録するための余白を有する第１の面と、
上記記憶媒体を挿入可能な収納部と、
返信先の住所を記録するための余白を有する第２の面と、
を備える往復封筒であり、
上記印刷手段は、
上記パッケージの上記第１の面に上記送付先を示すアドレスを印刷し、上記第２の面に上記返信先のアドレスを印刷する
ことを特徴とする通信装置。
【請求項１５】
請求項１２において、
上記レンタル要求情報に応じたレンタル料金をユーザの口座から引き落とすための決済情報を生成し、外部の決済センタに送信する決済手段
を備えることを特徴とする通信装置。
【請求項１６】
請求項１５において、
上記決済手段は、
上記レンタル要求情報に応じた上記記憶媒体のレンタルに対応するデポジット料金を記憶する
ことを特徴とする通信装置。
【請求項１７】
請求項１６において、更に、
上記送付先から上記記憶媒体が返却された返却日と、上記記録手段により記録された上記貸出日／返却予定日とを比較する比較手段
を備え、
上記決済手段は、
上記比較手段が上記記憶媒体がレンタル期間内に返却されたと判別したとき、上記デポジット料金をユーザに返却するための決済情報を生成し、上記決済センタに送信する
ことを特徴とする通信装置。
【請求項１８】
請求項１７において、
上記決済手段は、
上記比較手段が上記記憶媒体がレンタル期間内に返却されなかったと判別したとき、上記デポジット料金をレンタルサービス提供者に分配するための決済情報を生成し、上記決済センタに送信する
ことを特徴とする通信装置。
【請求項１９】
請求項１２において、
上記記録手段は、
上記貸出日／返却予定日を上記レンタルされる記憶媒体に記録する
ことを特徴とする通信装置。
【請求項２０】
請求項１３において、
上記印刷手段は、
上記貸出日／返却予定日を上記パッケージの一部にバーコードで印刷する
ことを特徴とする通信装置。
【請求項２１】
ユーザ所望のコンテンツデータＩＤ、記録媒体ＩＤおよび送付先を示すアドレスを入力する入力手段と、
上記入力手段により入力された上記コンテンツデータＩＤ、上記記録媒体ＩＤおよびユーザが所望する記憶媒体の上記送付先を示すアドレスを有するレンタル要求情報を生成するレンタル要求情報生成手段と、
上記レンタル要求情報生成手段により生成された上記レンタル要求情報を送信する送信手段と
を備えることを特徴とする通信装置。
【請求項２２】
レンタル要求情報を生成するステップと、
生成された上記レンタル要求情報を送信するステップと、
送信された上記レンタル要求情報を受信するステップと、
受信された上記レンタル要求情報に応じて、レンタルされる予めデータが記録された記憶媒体を送付先に送る貸出日／返却予定日を記録するステップと、
を含むことを特徴とするコンピュータが読み取り可能なプログラムが記録されている記録媒体。
【請求項２３】
外部装置から送信されたレンタル要求情報を受信するステップと、
受信された上記レンタル要求情報内のコンテンツデータＩＤに応じてコンテンツデータを検索するステップと、
検索された上記コンテンツデータを上記コンテンツデータＩＤとともに上記レンタル要求情報内の記録媒体ＩＤに対応する記憶媒体に書き込むステップと、
レンタルされる上記記憶媒体を送付先に送る貸出日／返却予定日を記録するステップと、
を含むことを特徴とするコンピュータが読み取り可能なプログラムが記録されている記録媒体。
【請求項２４】
ユーザ所望のコンテンツデータＩＤ、記録媒体ＩＤおよび送付先を示すアドレスを入力するステップと、
入力された上記コンテンツデータＩＤ、上記記録媒体ＩＤおよび上記送付先を示すアドレスを有するレンタル要求情報を生成するステップと、
生成された上記レンタル要求情報を送信するステップと、
を備え、
上記送付先を示すアドレスは、ユーザが所望する記憶媒体の送付先を示すアドレスであることを特徴とするコンピュータが読み取り可能なプログラムが記録されている記録媒体。
【手続補正３】
【補正対象書類名】明細書
【補正対象項目名】０００１
【補正方法】変更
【補正の内容】
【０００１】
【発明の属する技術分野】
この発明は、通信システム、通信装置および記録媒体に関する。
【手続補正４】
【補正対象書類名】明細書
【補正対象項目名】００１０
【補正方法】変更
【補正の内容】
【００１０】
したがって、この発明の目的は、ユーザが豊富なタイトルの中からいつでも所望するタイトルをレンタル可能であり、タイトルを返却する際の煩わしい手間のない通信システム、通信装置および記録媒体を提供することにある。
【手続補正５】
【補正対象書類名】明細書
【補正対象項目名】００１１
【補正方法】変更
【補正の内容】
【００１１】
また、この発明の目的は、レンタル会社が在庫を抱える必要のない通信システム、通信装置および記録媒体を提供することにある。
【手続補正６】
【補正対象書類名】明細書
【補正対象項目名】００１２
【補正方法】変更
【補正の内容】
【００１２】
【課題を解決するための手段】
以上の問題を解決するために、第１の発明は、レンタル要求情報を生成する生成手段と、
生成手段により生成されたレンタル要求情報を送信する送信手段と、
を有する第１の通信装置と、
送信手段により送信されたレンタル要求情報を受信する受信手段と、
受信手段により受信されたレンタル要求情報に応じて、レンタルされる予めデータが記録された記憶媒体を送付先に送る貸出日／返却予定日を記録する記録手段と、
を有する第２の通信装置と、
を備えることを特徴とする通信システムである。
【手続補正７】
【補正対象書類名】明細書
【補正対象項目名】００１３
【補正方法】変更
【補正の内容】
【００１３】
また、第２の発明は、外部装置から送信されたレンタル要求情報を受信する受信手段と、
受信手段により受信されたレンタル要求情報内のコンテンツデータＩＤに応じてコンテンツデータを検索する検索手段と、
検索手段により検索されたコンテンツデータをコンテンツデータＩＤとともにレンタル要求情報内の記録媒体ＩＤに対応する記憶媒体に書き込む書き込み手段と、
レンタルされる記憶媒体を送付先に送る貸出日／返却予定日を記録する記録手段と
を備えることを特徴とする通信装置である。
【手続補正８】
【補正対象書類名】明細書
【補正対象項目名】００１４
【補正方法】変更
【補正の内容】
【００１４】
また、第３の発明は、ユーザ所望のコンテンツデータＩＤ、記録媒体ＩＤおよび送付先を示すアドレスを入力する入力手段と、
入力手段により入力されたコンテンツデータＩＤ、記録媒体ＩＤおよびユーザが所望する記憶媒体の送付先を示すアドレスを有するレンタル要求情報を生成するレンタル要求情報生成手段と、
レンタル要求情報生成手段により生成されたレンタル要求情報を送信する送信手段と
を備えることを特徴とする通信装置である。
【手続補正９】
【補正対象書類名】明細書
【補正対象項目名】００１５
【補正方法】変更
【補正の内容】
【００１５】
また、第４の発明は、レンタル要求情報を生成するステップと、
生成されたレンタル要求情報を送信するステップと、
送信されたレンタル要求情報を受信するステップと、
受信されたレンタル要求情報に応じて、レンタルされる予めデータが記録された記憶媒体を送付先に送る貸出日／返却予定日を記録するステップと、
を含むことを特徴とするコンピュータが読み取り可能なプログラムが記録されている記録媒体である。
【手続補正１０】
【補正対象書類名】明細書
【補正対象項目名】００１６
【補正方法】変更
【補正の内容】
【００１６】
また、第５の発明は、外部装置から送信されたレンタル要求情報を受信するステップと、
受信されたレンタル要求情報内のコンテンツデータＩＤに応じてコンテンツデータを検索するステップと、
検索されたコンテンツデータをコンテンツデータＩＤとともにレンタル要求情報内の記録媒体ＩＤに対応する記憶媒体に書き込むステップと、
レンタルされる記憶媒体を送付先に送る貸出日／返却予定日を記録するステップと、
を含むことを特徴とするコンピュータが読み取り可能なプログラムが記録されている記録媒体である。
【手続補正１１】
【補正対象書類名】明細書
【補正対象項目名】００１７
【補正方法】変更
【補正の内容】
【００１７】
また、第６の発明は、ユーザ所望のコンテンツデータＩＤ、記録媒体ＩＤおよび送付先を示すアドレスを入力するステップと、
入力されたコンテンツデータＩＤ、記録媒体ＩＤおよび送付先を示すアドレスを有するレンタル要求情報を生成するステップと、
生成されたレンタル要求情報を送信するステップと、
を備え、
送付先を示すアドレスは、ユーザが所望する記憶媒体の送付先を示すアドレスであることを特徴とするコンピュータが読み取り可能なプログラムが記録されている記録媒体である。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
この発明では、第１の通信装置であるレンタル端末は、レンタル要求情報を生成する生成手段と、レンタル要求情報を送信する送信手段とを有し、第２の通信装置であるレンタル装置は、レンタル要求情報を受信する受信手段と、受信手段により受信されたレンタル要求情報に応じて、レンタルされるデータが予め記憶された記憶媒体を送付先に送る貸出日／返却予定日を記録する記録手段とを備えるため、ユーザは所望するコンテンツをいつでもレンタルできる。また、レンタル品がレンタル期間を超過しているか否かを判断できる。
【手続補正１４】
【補正対象書類名】明細書
【補正対象項目名】００２０
【補正方法】削除
【補正の内容】